(57)【要約】      （修正有）【課題】可能な限り掛止対象物を壁面に近付けて取り付けるとともに、壁面に取り付けた後に地震などで揺れを生じた場合であっても容易に掛止対象物が落下しないようにした掛止ユニットを提供する。【解決手段】起立した壁面５にディスプレイ装置６を取り付けるための掛止ユニット１において、壁面５の表面側に取り付けられるベース部材と、ディスプレイ装置６の裏面側に取り付けられる掛止部材３とを有し、ベース部材に、前記壁面５から突出する突出部２３と、当該突出部２３の先端側で上下方向に貫通する開口部２４を設ける。一方、ディスプレイ装置６側に、このディスプレイ装置６の裏面から壁面５側へ向けて下方に傾斜した傾斜部３２と、当該傾斜部３２の下方に設けられ、先端部分を壁面５側へ向けて折り返したフック部３３を設けようにした。【選択図】図２
2008093311.tif 000002
【特許請求の範囲】
【請求項１】
起立した壁面に掛止対象物を取り付けるための掛止ユニットにおいて、
前記壁面の表面側に取り付けられるベース部材と、前記掛止対象物側に取り付けられる掛止部材とを備え、
前記ベース部材が、前記壁面から突出する突出部と、当該突出部の先端側で上下方向に貫通する開口部を設けてなるものであり、
前記掛止対象物が、当該掛止対象物の取り付け部分から壁面側へ向けて下方へ傾斜した傾斜部と、当該傾斜部の下方に設けられ、先端部分を壁面側へ向けて折り返したフック部を設けてなることを特徴とする掛止ユニット。
【請求項２】
前記突出部が、先端側を下方へ傾斜させたものである請求項１に記載の掛止対象物の掛止ユニット。
【請求項３】
前記突出部の先端部分から上方へ起立した起立片を設けた請求項１に記載の掛止対象物の掛止ユニット。
【発明の詳細な説明】
【技術分野】
【０００１】
本発明は、液晶ディスプレイやプラズマディスプレイなどの掛止対象物を壁面に取り付けるための掛止ユニットに関するものであり、より詳しくは、掛止対象物を壁面により近付けて取り付けられるようにするとともに、地震などで揺れを生じた場合であっても容易に掛止対象物が外れないようにした掛止ユニットの構造に関するものである。
【背景技術】
【０００２】
近年、一般家庭などにおいても大型の液晶ディスプレイやプラズマディスプレイが普及するようになってきており、また、これに伴って、このようなディスプレイ装置を壁面へ取り付けるための器具なども種々提案されてきている。このようなディスプレイ装置を壁面に取り付ける方法に関しては、例えば、下記の特許文献１や特許文献２などに示されるようなものが存在し、一般的には、図８に示すように、壁面に取り付けられるベース部材７と、このベース部材７に引っ掛けられる掛止部材８とを設け、壁面に取り付けられたベース部材７に掛止部材８を上から引っ掛けるようにするのが通常である。
【特許文献１】特開２００５−５７４２４号公報
【特許文献２】特開平０９−１２７８８２号公報
【発明の開示】
【発明が解決しようとする課題】
【０００３】
しかしながら、図８に示すように、フックを用いて固定金具に引っ掛けるだけの構造であると、フックの掛止状態を固定できるようにしておかなければ、地震などで上下方向に揺れを生じた場合、フックが外れてしまう可能性がある。このため、フックの掛止状態を固定しておくようにするのが好ましいが、一般に、ディスプレイ装置と壁面との間には僅かな隙間しか存在しないため、フックをネジで固定してしまうと、テレビに接続した機器が故障で撤去が必要になったり、あるいは、新たな機器の増設が必要になったり、また、ケーブルの接点不良などでケーブルの差し替えが必要となったような場合、ネジを取り外さなければならず、その作業が非常に面倒で煩わしくなる。一方、ディスプレイ装置と壁面とを離間させてネジ止めできるようにすることも可能ではあるが、ディスプレイ装置と壁面との間が離れてしまうと、ディスプレイ装置が不安定な状態で取り付けられることとなり、少しの振動で画面に揺れを生じてしまうという問題を生ずる。
【０００４】
そこで、本発明は上記課題に着目してなされたもので、可能な限り掛止対象物を壁面に近付けて取り付けるとともに、壁面に取り付けた後に地震などで揺れを生じた場合であっても容易に掛止対象物が落下しないようにした掛止ユニットを提供することを目的とするものである。
【課題を解決するための手段】
【０００５】
すなわち、本発明の掛止ユニットは上記課題を解決するために、起立した壁面に掛止対象物を取り付けるための掛止ユニットにおいて、前記壁面の表面側に取り付けられるベース部材と、前記掛止対象物側に取り付けられる掛止部材とを備え、前記ベース部材に、前記壁面から突出する突出部と、当該突出部の先端側で上下方向に貫通する開口部を設けるとともに、前記掛止対象物に、当該掛止対象物の取り付け部分から壁面側へ向けて下方に傾斜した傾斜部と、当該傾斜部の下方に設けられ、先端部分を壁面側へ向けて折り返したフック部を設けようにしたものである。
【０００６】
このように構成すれば、壁面から突出するベース部材にフック部を上から引っ掛けると、掛止部材に設けられた傾斜部によって掛止対象物が壁面に近づくようにスライドし、掛止対象物を壁面側へより近付けた状態で掛け止めることができるようになる。また、そのスライドに伴って開口部に挿入されたフック部も壁面側へスライドされ、地震などによって上下方向に揺れた場合であっても、そのフック部の先端が突出部の裏面に当たって開口部から抜けるようなことがなくなる。
【０００７】
また、このような発明において、壁面から突出するように設けられるベース部材の突出部を、先端側が下方となるように傾斜させる。
【０００８】
このように構成すれば、開口部に挿入されたフック部が地震で上方へ跳ね上がった場合であっても、そのフック部の先端を傾斜している突出部の裏面に接触させることができ、その傾斜面に沿ってフック部を壁面側へスライドさせて、より掛止状態を強くさせることができるようになる。
【０００９】
さらに、この突出部の先端部分に、上方へ起立した起立片を設けるようにする。
【００１０】
このように構成すれば、傾斜した突出部と起立した起立片によってＶ字状のガイドを形成することができ、このガイドにフック部を案内させてフック部を開口部内に挿入させることができるようになる。これにより、掛止対象物の裏面側で手探り状態で作業しなければならないような場合であっても、容易に掛け止めのための作業をさせることができるようになる。
【発明の効果】
【００１１】
本発明の掛止ユニットは、壁面に取り付けられるベース部材と、掛止対象物に取り付けられる掛止部材とを設けた構成において、ベース部材側に、壁面から突出する突出部と、当該突出部の先端側で上下方向に貫通する開口部を設けるとともに、掛止部材側に、掛止対象物の取り付け部分から壁面側へ向けた下方へ傾斜させた傾斜部と、その傾斜部の下方に設けられ、先端部分を壁面側へ向けて折り返したフック部を設けるようにしたものである。これにより、壁面から突出するベース部材に上からフック部を引っ掛けることによって、掛止部材側の傾斜部に沿って掛止対象物を壁面側へ近付けることができ、また、このスライドに伴ってフック部も開口部内で壁面側へスライドさせることで、地震で上下方向の揺れを生じた場合であっても、そのフック部の先端部分を突出部の裏面に当接させることができる。
【発明を実施するための最良の形態】
【００１２】
以下、本発明の一実施の形態について図面を参照して説明する。図１は、本実施の形態における掛止ユニット１を用いたディスプレイ装置６の掛止状態を示したものであり、図２は、その掛止ユニット１の断面図を示したものである。
【００１３】
本実施の形態における掛止ユニット１は、起立した壁面５に液晶ディスプレイやプラズマディスプレイなどのディスプレイ装置６を取り付けるようにするものであって、壁面５の表面に取り付けられるベース部材２と、壁面５に対向して取り付けられるディスプレイ装置６の裏面側に取り付けられる掛止部材３とを備えてなる。
【００１４】
このディスプレイ装置６は、例えば、室内空間を形成するコンクリート壁やプラスターボード、可動間仕切り壁、家具の表面の壁面、あるいは、屋外壁面や塀などに取り付けるもので、この実施の形態では、室内空間を形成する壁面５を例に挙げて説明する。近年、一般家庭では、耐火構造の採用に伴って室内空間側にプラスターボードが多く使用されるようになってきており、このプラスターボードは比較的脆弱であるため重さ数十キロのディスプレイ装置６を直接取り付けることができない。そこで、この実施の形態では、壁面５との接触面を大きくとれるようにした金属製の補強部材４をプラスターボードの壁面５に取り付け、これにより、その補強部材４と壁面５との間の大きな面接触によって下方へ大きな荷重に耐えられるようにしている。なお、もちろん、コンクリート製の壁面などのように比較的強い壁面などに対しては、直接その壁面にディスプレイ装置６を取り付けるようにしてもよい。
【００１５】
このような壁面５に取り付けられるベース部材２は、一枚の金属製プレートを折曲加工したもので、この実施の形態では、壁面５を補強するための平面状の補強部材４を介して壁面５に取り付けられる。この補強部材４は、プラスターボードの壁面５との接触面４１を大きくすることにより、下向きの荷重に耐えられるようにしており、長方形状に構成された比較的小さなブラケット構成要素４０を縦横に連結して自由な大きさ、形状に変形できるようにしている。このブラケット構成要素４０について詳述すると、ブラケット構成要素４０は、プラスターボードなどの壁面５に接触する長方形状の接触面４１と、この接触面４１の各短辺から起立した起立部４２を設けている。この起立部４２には、他のブラケット構成要素４０の起立部４２と接触した状態で連結されるためのネジ孔４３を間欠的に設けており、そのネジ孔４３にネジを取り付けることによって他のブラケット構成要素４０と連結できるようになっている。これにより、例えば、図３に示すように、上下方向に離間して設けられた横長のブラケット構成要素４０の両端に縦長状のブラケット構成要素４０を連結することによって、長方形状のディスプレイ装置６を取り付けられるようにすることができ、また、図４に示すように、横長方向に２つ連結したブラケット構成要素４０を上下に離間させて縦長状のブラケット構成要素４０を挟み込むことにより、比較的長いディスプレイ装置６を取り付けることができるようになる。このような長いディスプレイ装置６としては、例えば、両側にスピーカーを備えたディスプレイ装置６などが考えられる。その他、任意の方向に連結することにより、Ｔ型、Ｈ型など多種多様のディスプレイ装置６を取り付けられるようにしている。
【００１６】
そして、このように構成された補強部材４の上側にベース部材２が載置して取り付けられる。このベース部材２は、一枚の金属板を折曲加工したもので、直接壁面５の表面に接触する壁面接触部２１と、この壁面接触部２１の下端からＬ字状に折り曲げられた載置部２２を設けている。このうち、壁面接触部２１は、接着剤やネジなどによって直接壁面５に取り付けられ、一方、載置部２２はブラケット構成要素４０の起立部４２に載置された状態で起立部４２のネジ孔４３にネジで固定される。また、その載置部２２の前方には壁面５から突出する突出部２３が延設される。この突出部２３は、先端側を下方へ傾斜させるように壁面５から突出させるたもので、その先端部分に、後述するフック部３３を挿入するための開口部２４を設けている。この開口部２４は、折り返し部３５を有するフック部３３を上から挿入できるようにしたもので、この実施の形態では、突出部２３の先端を折り曲げた起立部２５との境界部分に設けられている。この起立部２５は、突出部２３の先端から鉛直上方に折り曲げ、その上端部分に掛止部材３を載置できるようにしているが、必ずしも鉛直方向に起立させる必要はなく、鋭角をなす角度であればどのような角度であってもよい。そして、この屈曲した起立部２５と突出部２３との間に形成されたＶ字状の平面によって後述するフック部３３を開口部２４までガイドさせるようにしている。
【００１７】
一方、掛止部材３は、ディスプレイ装置６の裏面側に取り付けられるものであって、ディスプレイ装置６の裏面にネジによって固定される裏面側固定部３１と、この裏面側固定部３１から壁面側へ向けて斜め下方に延設される傾斜部３２と、この傾斜部３２の先端側から鉛直下方に延設されるフック部３３とを設けている。これらの裏面側固定部３１や傾斜部３２やフック部３３は、ベース部材２と同様に、一枚の金属板を折曲加工したもので、平面状に構成されたフック部３３をベース部材２の開口部２４に挿入することによってディスプレイ装置６をベース部材２に掛止する。このフック部３３は、傾斜部３２の下端から垂下させた垂下部３４と、その垂下部３４の下端から壁面側へ向けて鋭角に折り返した折り返し部３５を設けており、この折り返し部３５によってベース部からの抜けを防止させるようにしている。
【００１８】
次に、このように構成されたベース部材２に掛止部材３を取り付ける場合の作用について図５や図６を用いて説明する。
【００１９】
まず、壁面５にディスプレイ装置６を取り付ける場合、そのディスプレイ装置６に合わせた大きさや形状にブラケット構成要素４０をそれぞれ連結し、これを壁面５に装着する。そして、このように壁面５に装着された補強部材４の上端部分にベース部材２の載置部２２を載置させ、そのベース部材２と載置部２２とをネジで固定するとともに、壁面接触部２１についてもネジや接着剤などを用いて壁面５に固定する。これによって突出部２３が壁面５から斜め下方に突出した状態となり、この突出部２３の先端部分の開口部２４にフック部３３を挿入可能な状態となる。
【００２０】
また、これと同様に、ディスプレイ装置６の裏面側にも掛止部材３を取り付けるとともに、ディスプレイ装置６の裏面から傾斜部３２を下方へ傾斜させた状態で突出させる。
【００２１】
このように取り付けられたベース部材２にディスプレイ装置６を装着する場合、ディスプレイ装置６を補強部材４に合わせて表側からおよその位置合わせを行い、ベース部材２の開口部２４にフック部３３を挿入させる。このとき、作業者側からはディスプレイ装置６によって裏面のフック部３３の位置や開口部２４の位置を見ることができないので、補強部材４の取り付け位置からベース部材２のおよその位置を推測し、所定の位置で上方からディスプレイ装置６を下ろす。すると、フック部３３が突出部２３と起立部２５の間に形成されたＶ字状の平面部にガイドされ、さらに、フック部３３を下ろしていくことによって、そのＶ字状の下端に設けられた開口部２４にフック部３３を挿入させることができる（図５（ａ））。そして、フック部３３を開口部２４に挿入させた後、さらに、ディスプレイ装置６を下ろしていくと、今度は、ベース部材２における起立部２５の上端に、掛止部材３の傾斜部３２の裏面が接触し、その接触に伴って、その傾斜部３２の傾斜方向に沿ってディスプレイ装置６が壁面側へ近付けられる。そして、フック部３３が開口部２４の端部に接触することによってそのスライドが停止され、壁面５とディスプレイ装置６との隙間を小さくした状態でディスプレイ装置６を壁面５に取り付けることができる（図５（ｂ））。
【００２２】
このようにディスプレイ装置６を取り付けた状態において、地震などによって上下方向に揺れた場合の状態を図６に説明する。
【００２３】
壁面５にディスプレイ装置６を取り付けた状態で、地震によって上方にディスプレイ装置６が跳ね上げられた場合、ディスプレイ装置６の跳ね上げと同時にフック部３３材も跳ね上げられ、このとき、壁面５側へ折り返されたフック部３３の先端部分がベース部材２の突出部２３の裏面に当たる。しかし、突出部２３が傾斜した状態で設けられているため、フック部３３の先端が突出部２３の裏面に接触したとしても、その傾斜に沿ってさらにフック部３３の先端部分が壁面５側へ近付けられるように力が作用し、フック部３３が開口部２４から抜けない状態となる。これにより、上下方向に揺れを生じた場合であってもディスプレイ装置６が壁面５から落ちてしまうということがなくなる。
【００２４】
上述のような構成によれば、ディスプレイ装置６を壁面５により近付けた状態で取り付けることができるばかりでなく、ネジなどを用いなくても、地震などで上下方向に揺れを生じた場合であってもディスプレイ装置６が外れてしまうというようなことがなくなる。また、突出部２３を傾斜させて設けるようにしたので、その突出部２３と起立部２５との間のＶ字状の平面によってフック部３３を開口部２４へガイドさせることができ、壁面５との隙間の状態を視認することができないような状態であっても、容易にフック部３３を開口部２４までガイドさせることができるようになる。
【００２５】
なお、本発明は上記実施の形態に限定されることなく、種々の態様で実施することができる。
【００２６】
例えば、上記実施の形態では、補強部材４にベース部材２を載置させた状態で壁面５に取り付けるようにしているが、補強部材４の表面にベース部材２を取り付けるようにしてもよく、あるいは、このような補強部材４に載置させることなく、直接ベース部材２を壁面５に取り付けるようにしてもよい。この場合、例えば、壁面５がコンクリートや柱などによって構成される場合には、壁面５の表面から釘やアンカーボルトなどを打ち込み、これによってベース部材２を壁面５の表面側に設けるようにしてもよい。
【００２７】
また、この場合、ベース部材２は壁面５の表面側に取り付けるようにしているが、壁面５に埋設するように取り付けてもよい。
【００２８】
さらに、上記実施の形態では、ベース部材２の突出部２３を傾斜させるようにしているが、必ずしも傾斜させる必要はなく、壁面５から水平な状態で突出させるようにしてもよい。また、突出部２３の先端に起立した起立部２５を設けるようにしているが、この起立部２５を有さないような構成を採用することもできる。このような場合としては、例えば、図７に示すように、突出部２３の先端から少し内側に開口部２４を設けておき、この開口部２４にフック部３３を挿入させる。すると、その挿入に伴って、開口部２４の先端側の縁部に掛止部材３の傾斜部３２が当接し、この当接に伴って、ディスプレイ装置６が壁面側へ近付けられることになる。そして、このとき、上下方向へ揺れを生じた場合であっても、フック部３３の先端部分が突出部２３の裏面側に当接し、フック部３３が抜けるようなことがなくなる。
【００２９】
加えて、上記実施の形態では、掛止対象物の例として、液晶ディスプレイやプラズマディスプレイなどを例に挙げて説明したが、このようなディスプレイ装置６に限定されるものではなく、壁面５に取り付けて使用するものであればどのようなものであってもよい。このような例としては、他に、絵画、筆記用ボード、時計、エアコン、鏡、照明器具などが挙げられるが、これらのものに限定されるものではない。
【図面の簡単な説明】
【００３０】
【図１】本発明の一実施の形態における掛止ユニットの使用例を示した図
【図２】同形態における掛止ユニットの断面図
【図３】同形態における補強部材の一例を示す図
【図４】同形態における補強部材の一例を示す図
【図５】同形態における掛止ユニットの挿入状態を示した図
【図６】同形態における掛止ユニットに揺れを生じた状態を示した図
【図７】本発明の他の実施の形態における掛止ユニットを示した図
【図８】従来の一般的なディスプレイ装置の装着例を示す図
【符号の説明】
【００３１】
１・・・掛止ユニット
２・・・ベース部材
３・・・掛止部材
４・・・補強部材
４０・・・ブラケット構成要素
４１・・・接触面
４２・・・起立部
４３・・・ネジ孔
２１・・・壁面接触部
２２・・・載置部
２３・・・突出部
２４・・・開口部
２５・・・起立部
３１・・・裏面側固定部
３２・・・傾斜部
３３・・・フック部
３４・・・垂下部
３５・・・折り返し部
５・・・壁面
６・・・ディスプレイ装置
【図１】
2008093311.tif 000003
【図２】
2008093311.tif 000004
【図３】
2008093311.tif 000005
【図４】
2008093311.tif 000006
【図５】
2008093311.tif 000007
【図６】
2008093311.tif 000008
【図７】
2008093311.tif 000009
【図８】
2008093311.tif 000010